(57)【要約】【課題】共通接続されている複数の帯域通過型フィルタの通過帯域内の挿入損失を効果的に小さくし得る、複合フィルタ装置を提供する。【解決手段】複数の帯域通過型フィルタ４〜７の一端同士が共通接続されており、複数の帯域通過型フィルタ４〜７のうち、少なくとも１つの帯域通過型フィルタ４が、第１のフィルタ１１と、スイッチ１３と、第２のフィルタ１２と、スイッチ１３に接続されており、第２のフィルタ１２の入力インピーダンス値よりも高いインピーダンス素子１４とを有し、スイッチ１３は、第１のフィルタ１１と、第２のフィルタ１２とを接続している第１の状態と、第１のフィルタ１１とインピーダンス素子１４とを接続している第２の状態との間で切り換えられるように構成されている、複合フィルタ装置１。【選択図】図１
2020182244.tif 000002
【特許請求の範囲】
【請求項１】
互いに異なる通過帯域を有する複数の帯域通過型フィルタを備え、前記複数の帯域通過型フィルタのそれぞれは一端と他端とを有し、
前記複数の帯域通過型フィルタの前記一端同士が共通接続されており、
前記複数の帯域通過型フィルタのうち、少なくとも１つの帯域通過型フィルタが、前記一端と前記他端との間に接続されているスイッチと、前記一端と前記スイッチとの間に接続されている第１のフィルタと、前記スイッチと前記他端との間に接続されている第２のフィルタと、前記スイッチに接続されており、前記第２のフィルタの入力インピーダンス値よりも高いインピーダンス値のインピーダンス素子とを有し、
前記スイッチは、前記第１のフィルタと、前記第２のフィルタとを接続している第１の状態と、前記第１のフィルタと、前記インピーダンス素子とを接続している第２の状態との間で切り換えられるように構成されている、複合フィルタ装置。
【請求項２】
前記スイッチが、前記第１のフィルタに接続される第１のスイッチ端子と、前記第２のフィルタに接続される第２のスイッチ端子と、前記インピーダンス素子が接続されている第３のスイッチ端子とを有し、前記第１の状態において、前記第１のスイッチ端子と前記第２のスイッチ端子とが接続されており、前記第２の状態において、前記第１のスイッチ端子と前記第３のスイッチ端子とが接続されている、請求項１に記載の複合フィルタ装置。
【請求項３】
前記第２の状態において、前記スイッチがオフ状態とされ、前記インピーダンス素子の値が無限大とされている、請求項１に記載の複合フィルタ装置。
【請求項４】
一端と他端とを有する複数の帯域通過型フィルタを備え、
前記複数の帯域通過型フィルタの前記一端同士が共通接続されており、
前記複数の帯域通過型フィルタのうち、少なくとも１つの帯域通過型フィルタが、前記一端に接続されている第１のフィルタと、前記第１のフィルタと前記他端との間に接続された第２のフィルタとを有し、
前記第１のフィルタと、前記第２のフィルタの複素インピーダンスが同極性である、複合フィルタ装置。
【請求項５】
前記複数の帯域通過型フィルタの全てが、前記第１のフィルタ及び前記第２のフィルタを有し、前記第１のフィルタと前記第２のフィルタが、接続された状態において、複素インピーダンスが同極性である、請求項４に記載の複合フィルタ装置。
【請求項６】
前記第１のフィルタ及び前記第２のフィルタの少なくとも一方が、弾性波フィルタである、請求項１〜５のいずれか１項に記載の複合フィルタ装置。
【請求項７】
前記第１のフィルタ及び前記第２のフィルタが弾性波フィルタである、請求項６に記載の複合フィルタ装置。
【請求項８】
前記弾性波フィルタが、弾性波共振子を有し、当該弾性波共振子の共振周波数以上、反共振周波数以下の周波数域が、当該帯域通過型フィルタ以外の他の帯域通過型フィルタの通過帯域内に位置している、請求項６に記載の複合フィルタ装置。
【請求項９】
前記第１のフィルタの通過帯域外における減衰量が、前記第２のフィルタの通過帯域外における減衰量よりも大きい、請求項１〜８のいずれか１項に記載の複合フィルタ装置。
【請求項１０】
前記第１のフィルタ及び前記第２のフィルタが、ラダー型フィルタからなり、前記第１のフィルタにおけるラダーの段数が、前記第２のフィルタにおけるラダーの段数よりも小さい、請求項１〜８のいずれか１項に記載の複合フィルタ装置。
【請求項１１】
前記第１のフィルタと、前記第２のフィルタとの間に、インピーダンスマッチング素子が接続されている、請求項１〜１０のいずれか１項に記載の複合フィルタ装置。
【請求項１２】
前記第２のフィルタが、縦結合共振子型フィルタである、請求項６に記載の複合フィルタ装置。
【請求項１３】
前記第２のフィルタが複数設けられており、前記スイッチが、複数の前記第２のフィルタにそれぞれ接続される複数の第２のスイッチ端子を有する、請求項１〜１１のいずれか１項に記載の複合フィルタ装置。
【発明の詳細な説明】
【技術分野】
【０００１】
本発明は、一端が共通接続されている複数の帯域通過型フィルタを有する複合フィルタ装置に関する。
【背景技術】
【０００２】
近年、スマートフォンなどでは、複数の周波数帯を同時に利用することが可能となっている。このような用途に用いられる複合フィルタ装置の一例が、特許文献１に開示されている。特許文献１に記載の複合フィルタ装置では、複数の周波数帯に対応して、ＲＦ段に複数の帯域通過型フィルタが設けられている。複数の帯域通過型フィルタの一端がマルチポートＯＮ−ＳＷを介してアンテナ端子に共通接続されている。マルチポートＯＮ−ＳＷは、アンテナ端子と、各周波数帯に対応した帯域通過型フィルタとの接続状態を切り換える複数のスイッチを有する。当該複数のスイッチが同時にＯＮ状態になることにより、複数の周波数を同時に利用することができる（キャリアアグリゲーション）。
【先行技術文献】
【特許文献】
【０００３】
【特許文献１】特開２０１５−２９２３３号公報
【発明の概要】
【発明が解決しようとする課題】
【０００４】
特許文献１に記載の複合フィルタ装置では、複数の帯域通過型フィルタの前段に、マルチポートＯＮ−ＳＷが接続されている。このようなマルチポートＯＮ−ＳＷは、スイッチ切り替え機能を持たせるために回路規模が大きく、通過帯域における挿入損失が大きいという問題があった。
【０００５】
加えて、マルチポートＯＮ−ＳＷに接続された帯域通過型フィルタは、通過帯域外における反射係数が悪化するため、共通接続されている他の帯域通過型フィルタにおける通過帯域内の挿入損失が大きくなるという問題があった。
【０００６】
本発明の目的は、共通接続されている複数の帯域通過型フィルタにおける通過帯域内の挿入損失を効果的に小さくすることができる、複合フィルタ装置を提供することにある。
【課題を解決するための手段】
【０００７】
本願の第１の発明は、互いに異なる通過帯域を有する複数の帯域通過型フィルタを備え、前記複数の帯域通過型フィルタのそれぞれは一端と他端とを有し、前記複数の帯域通過型フィルタの前記一端同士が共通接続されており、前記複数の帯域通過型フィルタのうち、少なくとも１つの帯域通過型フィルタが、前記一端と前記他端との間に接続されているスイッチと、前記一端と前記スイッチとの間に接続されている第１のフィルタと、前記スイッチと前記他端との間に接続されている第２のフィルタと、前記スイッチに接続されており、前記第２のフィルタの入力インピーダンス値よりも高いインピーダンス値のインピーダンス素子とを有し、前記スイッチは、前記第１のフィルタと前記第２のフィルタとを接続している第１の状態と、前記第１のフィルタと前記インピーダンス素子とを接続している第２の状態との間で切り換えられるように構成されている、複合フィルタ装置である。
【０００８】
第１の発明に係る複合フィルタ装置のある特定の局面では、前記スイッチが、前記第１のフィルタに接続される第１のスイッチ端子と、前記第２のフィルタに接続される第２のスイッチ端子と、前記インピーダンス素子が接続されている第３のスイッチ端子とを有し、前記第１の状態において、前記第１のスイッチ端子と前記第２のスイッチ端子とが接続されており、前記第２の状態において、前記第１のスイッチ端子と前記第３のスイッチ端子とが接続されている。
【０００９】
第１の発明に係る複合フィルタ装置の他の特定の局面では、前記第２の状態において、前記スイッチがオフ状態とされ、前記インピーダンス素子の値が無限大とされる。
【００１０】
本願の第２の発明は、一端と他端とを有する複数の帯域通過型フィルタを備え、前記複数の帯域通過型フィルタの前記一端同士が共通接続されており、前記複数の帯域通過型フィルタのうち、少なくとも１つの帯域通過型フィルタが、前記一端に接続されている第１のフィルタと、前記第１のフィルタと前記他端との間に接続された第２のフィルタとを有し、前記第１のフィルタと、前記第２のフィルタの複素インピーダンスが同極性である、複合フィルタ装置である。
【００１１】
第２の発明に係る複合フィルタ装置のある特定の局面では、前記複数の帯域通過型フィルタの全てが、前記第１のフィルタ及び前記第２のフィルタを有し、前記第１のフィルタと前記第２のフィルタが、接続された状態において、複素インピーダンスが接続状態において同極性とされている。
【００１２】
以下、第１及び第２の発明を総称して本発明とする。
【００１３】
本発明に係る複合フィルタ装置の他の特定の局面では、前記第１のフィルタ及び前記第２のフィルタの少なくとも一方が、弾性波フィルタである。好ましくは、前記第１のフィルタ及び前記第２のフィルタの双方が弾性波フィルタである。この場合には、共通接続されている他の帯域通過型フィルタの通過帯域における反射係数をより一層高めることができる。従って、共通接続されている他の帯域通過型フィルタの挿入損失をより一層小さくすることができる。
【００１４】
本発明に係る複合フィルタ装置の別の特定の局面では、前記弾性波フィルタが、弾性波共振子を有し、当該弾性波共振子の共振周波数以上、反共振周波数以下の周波数域が、当該帯域通過型フィルタ以外の他の帯域通過型フィルタの通過帯域内に位置している。従って、共通接続されている他の帯域通過型フィルタの挿入損失をより一層小さくすることができる。
【００１５】
本発明に係る複合フィルタ装置のさらに他の特定の局面では、前記第１のフィルタの通過帯域外における減衰量が、前記第２のフィルタの通過帯域外における減衰量よりも大きい。この場合には、相対的に大きな影響を与える第２のフィルタによる影響を効果的に低減することができる。従って、共通接続されている他の帯域通過型フィルタの挿入損失をより効果的に小さくすることができる。
【００１６】
本発明に係る複合フィルタ装置のさらに他の特定の局面では、前記第１のフィルタ及び前記第２のフィルタが、ラダー型フィルタからなり、前記第１のフィルタにおけるラダーの段数が、前記第２のフィルタにおけるラダーの段数よりも小さい。この場合には、相対的に大きな影響を与える第２のフィルタによる影響を効果的に低減することができる。従って、共通接続されている他の帯域通過型フィルタの挿入損失をより効果的に小さくすることができる。
【００１７】
本発明に係る複合フィルタ装置の別の特定の局面では、前記第１のフィルタと、前記第２のフィルタとの間に、インピーダンスマッチング素子が接続されている。この場合には、共通接続されている他の帯域通過型フィルタの挿入損失をより一層効果的に小さくすることができる。
【００１８】
本発明に係る複合フィルタ装置のさらに他の特定の局面では、前記第２のフィルタが、縦結合共振子型フィルタである。縦結合共振子型の弾性波フィルタでは、減衰量を十分大きくすることができる。従って、この場合には、第１のフィルタの減衰量を小さくすることができるので、本発明がより効果的である。
【００１９】
本発明に係る複合フィルタ装置のさらに他の特定の局面では、前記第２のフィルタが複数設けられており、前記スイッチが、複数の前記第２のフィルタにそれぞれ接続される複数の第２のスイッチ端子を有する。このように、第２のフィルタは複数設けられていてもよい。
【発明の効果】
【００２０】
本発明に係る複合フィルタ装置によれば、共通接続されている他の帯域通過型フィルタの通過帯域内における挿入損失を効果的に小さくすることが可能となる。
【図面の簡単な説明】
【００２１】
【図１】図１は、本発明の第１の実施形態に係る複合フィルタ装置の回路図である。
【図２】図２は、第１の実施形態の複合フィルタ装置のフィルタ特性を示す図である。
【図３】図３は、本発明の第１の実施形態に係る複合フィルタ装置において、スイッチが第２の状態にある場合の回路図である。
【図４】図４は、第１の実施形態で用いられている第１の帯域通過型フィルタの回路図である。
【図５】図５は、第１の実施形態において、接続されているインピーダンス素子が５０Ωである場合のＢａｎｄ７で用いられる第４の帯域通過型フィルタのフィルタ特性を示す図である。
【図６】図６は、第１の実施形態において、接続されているインピーダンス素子が１０００Ωである場合のＢａｎｄ７で用いられる第４の帯域通過型フィルタのフィルタ特性を示す図である。
【図７】図７は、第１の実施形態において、接続されているインピーダンス素子が無限大すなわち開放状態である場合のＢａｎｄ７で用いられる第４の帯域通過型フィルタのフィルタ特性を示す図である。
【図８】図８は、第１の実施形態において、第１の帯域通過型フィルタに接続されているインピーダンス素子の接続インピーダンスと、Ｂａｎｄ７用の第４の帯域通過型フィルタの２．６９０ＧＨｚにおける挿入損失との関係を示す図である。
【図９】図９は、第２の実施形態に係る複合フィルタ装置の回路図である。
【図１０】図１０は、第３の実施形態に係る複合フィルタ装置の回路図である。
【図１１】図１１は、第４の実施形態に係る複合フィルタ装置の回路図である。
【図１２】図１２は、第５の実施形態に係る複合フィルタ装置の回路図である。
【図１３】図１３は、第６の実施形態に係る複合フィルタ装置の回路図である。
【図１４】図１４は、第７の実施形態に係る複合フィルタ装置の回路図である。
【図１５】図１５は、第７の実施形態の複合フィルタ装置において、Ｂａｎｄ７用の第４の帯域通過型フィルタのフィルタ特性を示す図である。
【図１６】図１６は、第７の実施形態の複合フィルタ装置において、第１の帯域通過型フィルタの第１のフィルタと第２のフィルタとを接続あるいは分離した状態を説明するための模式図である。
【図１７】図１７は、第７の実施形態において、第１の帯域通過型フィルタの第２のフィルタを第１のフィルタに接続した場合の第１のフィルタのインピーダンス特性を示すインピーダンススミスチャートである。
【図１８】図１８は、第７の実施形態において、第１の帯域通過型フィルタの第２のフィルタを第１のフィルタに接続した場合の第２のフィルタのインピーダンス特性を示すインピーダンススミスチャートである。
【図１９】図１９は、比較例の複合フィルタ装置の回路図である。
【図２０】図２０は、図１９に示す比較例の複合フィルタ装置において、第１の帯域通過型フィルタの第１のフィルタと第２のフィルタとを電気的に分離した場合の第１のフィルタ側のインピーダンス特性を示すインピーダンススミスチャートである。
【図２１】図２１は、図１９に示す比較例の複合フィルタ装置において、第１の帯域通過型フィルタの第１のフィルタと第２のフィルタとを電気的に分離した場合の第２のフィルタ側のインピーダンス特性を示すインピーダンススミスチャートである。
【図２２】図２２は、比較例の複合フィルタ装置におけるＢａｎｄ７用の第４の帯域通過型フィルタのフィルタ特性を示す図である。
【図２３】図２３は、縦結合共振子型の弾性波フィルタの電極構造を示す平面図である。
【発明を実施するための形態】
【００２２】
以下、図面を参照しつつ、本発明の具体的な実施形態を説明することにより、本発明を明らかにする。
【００２３】
なお、本明細書に記載の各実施形態は、例示的なものであり、異なる実施形態間において、構成の部分的な置換または組み合わせが可能であることを指摘しておく。
【００２４】
図１は、本発明の第１の実施形態に係る複合フィルタ装置の回路図である。複合フィルタ装置１は、アンテナ２に接続されるアンテナ端子３を有する。アンテナ端子３に、第１〜第４の帯域通過型フィルタ４〜７の一端が共通接続されている。第１の帯域通過型フィルタ４は、Ｂａｎｄ３の受信フィルタである。Ｂａｎｄ３の受信フィルタの通過帯域は、１８０５ＭＨｚ〜１８８０ＭＨｚである。
【００２５】
第２の帯域通過型フィルタ５は、Ｂａｎｄ１の受信フィルタである。Ｂａｎｄ１の受信フィルタの通過帯域は、２１１０ＭＨｚ〜２１７０ＭＨｚである。
【００２６】
第３の帯域通過型フィルタ６は、Ｂａｎｄ４０の受信フィルタである。Ｂａｎｄ４０の受信フィルタの通過帯域は、２３００ＭＨｚ〜２４００ＭＨｚである。
【００２７】
第４の帯域通過型フィルタ７は、Ｂａｎｄ７の受信フィルタである。Ｂａｎｄ７の受信フィルタの通過帯域は、２６２０ＭＨｚ〜２６９０ＭＨｚである。
【００２８】
第１〜第４の帯域通過型フィルタ４〜７の通過帯域は互いに異なっている。本発明では、互いに異なる通過帯域を有する複数の帯域通過型フィルタが備えられているが、この場合、互いに異なる通過帯域を有する複数の帯域通過型フィルタに加え、少なくとも１の帯域通過型フィルタと通過帯域が重なっている帯域通過型フィルタがさらに備えられていてもよい。
【００２９】
ここで、インピーダンス値とは、特性インピーダンスを言うものとし、定数成分と複素成分とを有する。また、本発明では、特性インピーダンスとは、複数の帯域通過型フィルタの通過帯域における特性インピーダンスをいうものとする。
【００３０】
複合フィルタ装置１の特徴は、第１の帯域通過型フィルタ４が、第１のフィルタ１１と、第２のフィルタ１２と、スイッチ１３と、インピーダンス素子１４とを有することにある。
【００３１】
第１のフィルタ１１は、一端がアンテナ端子３に接続されている。スイッチ１３は、第１のスイッチ端子１３ａと、第２，第３のスイッチ端子１３ｂ，１３ｃとを有する。スイッチ１３は、第１のスイッチ端子１３ａと第２のスイッチ端子１３ｂとを電気的に接続している第１の状態と、第１のスイッチ端子１３ａと、第３のスイッチ端子１３ｃとを電気的に接続している第２の状態（図３参照）との間で切り換えられる。
【００３２】
第１のフィルタ１１の出力端が、第１のスイッチ端子１３ａに接続されている。第２のフィルタ１２の入力端が、第２のスイッチ端子１３ｂに接続されている。第３のスイッチ端子１３ｃとグラウンド電位との間に、インピーダンス素子１４が接続されている。インピーダンス素子１４のインピーダンス値は、第２のフィルタ１２の入力インピーダンス値よりも高い。例えば、第２のフィルタ１２の入力インピーダンス値が５０Ωである場合、インピーダンス素子１４は５０Ωよりも大きくされている。
【００３３】
なお、第１〜第４の帯域通過型フィルタ４〜７は、通過帯域を形成し得る適宜のフィルタにより構成され得る。スイッチ１３は、ＦＥＴなどのトランジスタや適宜のスイッチング素子を用いて構成され得る。インピーダンス素子１４としては、Ｂａｎｄ３、Ｂａｎｄ１、Ｂａｎｄ４０及びＢａｎｄ７の周波数帯で上記インピーダンス値を実現する適宜の手段を用いて構成することができる。
【００３４】
図１では、スイッチ１３は、第１の状態とされている。従って、第１のフィルタ１１と第２のフィルタ１２とが接続されている。この場合のＢａｎｄ７のフィルタ特性を図２に示す。なお、図２、図５、図７、図１５及び図２２における縦軸は、挿入損失を示す。この場合、矢印Ｘで示す２．６９０ＧＨｚにおける挿入損失は、−３．２９４ｄＢである。
【００３５】
以下の図６，図７，図１５及び図１６においても、矢印Ｘは２．６９０ＧＨｚの位置を示す。
【００３６】
他方、Ｂａｎｄ７を用いるが、Ｂａｎｄ３を用いない場合には、スイッチ１３を第２の状態とする。すなわち、図３に示すように、スイッチ１３において、第１のスイッチ端子１３ａと第３のスイッチ端子１３ｃとが接続されている状態とする。それによって、第１のフィルタ１１と第２のフィルタ１２とが分離される。そして、第１のフィルタ１１とグラウンド電位との間にインピーダンス素子１４が接続されることになる。インピーダンス素子１４のインピーダンス値は、第２のフィルタ１２の入力インピーダンスよりも高い。従って、他の帯域通過型フィルタである第２〜第４の帯域通過型フィルタ５〜７における反射係数の悪化が生じ難い。これを図５〜図８を参照してより具体的に説明する。
【００３７】
図３に示す接続状態において、インピーダンス素子１４のインピーダンス値を５０Ω、１０００Ωまたは無限大すなわち開放状態とした場合の第４の帯域通過型フィルタ７のフィルタ特性をそれぞれ、図５、図６及び図７に示す。図５に示すように、インピーダンス素子１４が５０Ωである場合、２．６９０ＧＨｚにおける挿入損失（ｄＢ）は−３．２８９ｄＢである。図６では、２．６９０ＧＨｚにおける挿入損失（ｄＢ）は−３．２８４ｄＢである。図７では、２．６９０ＧＨｚにおける挿入損失（ｄＢ）は−３．２８３ｄＢである。このように、インピーダンス素子１４のインピーダンス値を高めていくことにより、第４の帯域通過型フィルタ７の通過帯域内における挿入損失を小さくし得ることがわかる。
【００３８】
図８は、インピーダンス素子１４の接続インピーダンスの大きさと、第４の帯域通過型フィルタ７における２．６９０ＧＨｚでの挿入損失（ｄＢ）との関係を示す図である。図８から明らかなように、接続インピーダンスの値が大きくなるにつれ、挿入損失が小さくなっており、特に、インピーダンス値が５０Ω以上であれば、挿入損失を効果的に小さくし得ることがわかる。また、より好ましくは、インピーダンス素子１４のインピーダンス値は、１００Ωよりも大きければ、挿入損失がより一層され得ることがわかる。
【００３９】
なお、インピーダンス素子１４のインピーダンス値は大きければよい。従って、インピーダンス素子１４としては、第１のスイッチ端子１３ａをいずれのスイッチ端子とも接続しない状態で実現されるものであってもよい。言い換えれば、本発明における第２の状態では、スイッチを第１のフィルタ１１と第２のフィルタ１２とを接続していないオフ状態とするものであってもよい。スイッチがオフ状態の場合、無限大のインピーダンス値を有するインピーダンス素子が接続されているものと便宜上考えることができる。
【００４０】
上記のように、複合フィルタ装置１においては、スイッチ１３において、第１のスイッチ端子１３ａと、第３のスイッチ端子１３ｃとを接続することにより、他の帯域通過型フィルタである第４の帯域通過型フィルタ７における通過帯域内の挿入損失を効果的に小さくすることができる。これは、インピーダンス素子１４のインピーダンス値が、第２のフィルタ１２の入力インピーダンスよりも高いことによる。
【００４１】
なお、第２，第３の帯域通過型フィルタ５，６においても、第１の帯域通過型フィルタ４において第１のフィルタ１１にインピーダンス素子１４が接続されている場合、通過帯域内における反射係数の悪化を抑制することができる。従って、第２，第３の帯域通過型フィルタ５，６においても、通過帯域内における挿入損失を小さくすることができる。
【００４２】
また、本実施形態では、第１の帯域通過型フィルタ４において、第１のフィルタ１１と第２のフィルタ１２との間にスイッチ１３を接続し、さらにインピーダンス素子１４を第３のスイッチ端子１３ｃに接続していたが、このような構成を、第２〜第４の帯域通過型フィルタ５〜７も有していてもよい。それによって、第１の帯域通過型フィルタ４、第３の帯域通過型フィルタ６及び第４の帯域通過型フィルタ７における通過帯域内の挿入損失の低減を効果的に図ることができる。従って、複数の帯域通過型フィルタにおいて、第１のフィルタと第２のフィルタとの間にスイッチを接続し、さらにスイッチとグラウンド電位との間にインピーダンス素子を接続した構成を備えることが好ましく、より好ましくは、全ての帯域通過型フィルタ４〜７が、上記構成を備えていることが望ましい。
【００４３】
また、本実施形態において、挿入損失を低減し得るのは、上記のように、他の帯域通過型フィルタ５〜７における挿入損失を小さくし得るだけでなく、挿入損失が大きなマルチポートＯＮ−ＳＷを用いていないことにもよる。すなわち、マルチポートＯＮ−ＳＷを用いていないことによっても、複合フィルタ装置１では、各帯域通過型フィルタ４〜７の挿入損失を小さくすることができる。
【００４４】
図４は、第１の帯域通過型フィルタ４の回路図である。第１のフィルタ１１は、直列腕共振子Ｓ１，Ｓ２と、並列腕共振子Ｐ１とを有するラダー型フィルタである。
【００４５】
第２のフィルタ１２は、直列腕共振子Ｓ３，Ｓ４，Ｓ５と、並列腕共振子Ｐ２，Ｐ３とを有する、ラダー型フィルタである。直列腕共振子Ｓ１，Ｓ２，Ｓ３〜Ｓ５及び並列腕共振子Ｐ１，Ｐ２，Ｐ３は、特に限定されないが、本実施形態では、それぞれ、弾性波共振子からなる。
【００４６】
従って、第１のフィルタ１１及び第２のフィルタ１２の双方が弾性波フィルタからなる。本発明においては、第１のフィルタ及び第２のフィルタの双方が弾性波フィルタからなることが好ましい。その場合には、他の帯域通過型フィルタの通過帯域における反射係数をより一層高めることができる。従って、他の帯域通過型フィルタにおける挿入損失をより一層小さくすることができる。
【００４７】
より好ましくは、上記弾性波共振子の共振周波数以上、反共振周波数以下の周波数域が、他の帯域通過型フィルタの通過帯域内に位置していることが好ましい。その場合には、他の帯域通過型フィルタの通過帯域におけるインピーダンス素子は大きく変化する。従って、他の帯域通過型フィルタの挿入損失をより一層小さくすることができる。
【００４８】
また、図４に示すように、第１のフィルタ１１におけるラダー型フィルタのラダーの段数は、第２のフィルタ１２におけるラダー型フィルタのラダーの段数よりも小さくされていることが好ましい。この場合は、第１のフィルタ１１と第２のフィルタ１２とを接続している場合と、接続していない場合とでの特性の変化がより大きくなる。よって、他の帯域通過型フィルタの挿入損失の改善をより一層効果的に図ることができる。
【００４９】
なお、図１に示すように、スイッチ１３と第２のフィルタ１２との間に、破線で示すインピーダンスマッチング素子１６を接続してもよい。このように、第１のフィルタ１１と、第２のフィルタ１２との間において、インピーダンスマッチング素子を接続してもよい。
【００５０】
図９は、第２の実施形態の複合フィルタ装置の回路図である。複合フィルタ装置２０では、第１の帯域通過型フィルタ４は、Ｂａｎｄ３の受信フィルタまたはＢａｎｄ２５の受信フィルタとして用いられる。Ｂａｎｄ２５の受信フィルタの通過帯域は１９３０ＭＨｚ〜１９９５ＭＨｚである。また、第２の帯域通過型フィルタ５は、第１の実施形態と同様にＢａｎｄ１の受信フィルタである。第３の帯域通過型フィルタ６は、Ｂａｎｄ３０の受信フィルタまたはＢａｎｄ４０の受信フィルタとして用いられる。Ｂａｎｄ３０の受信フィルタの通過帯域は２３５０ＭＨｚ〜２３６０ＭＨｚである。第４の帯域通過型フィルタ７は、第１の実施形態と同様にＢａｎｄ７の受信フィルタである。
【００５１】
複合フィルタ装置２０では、第１の帯域通過型フィルタ４が、スイッチ１３Ａと、複数の第２のフィルタ１２Ａ，１２Ｂとを有する。スイッチ１３Ａは、第１のスイッチ端子１３ａと、複数の第２のスイッチ端子１３ｂ，１３ｄと、第３のスイッチ端子１３ｃとを有する。スイッチ１３Ａでは、第１のスイッチ端子１３ａが、第２のスイッチ端子１３ｂ，１３ｄ、第３のスイッチ端子１３ｃのいずれかと接続されている状態とされる。第２のスイッチ端子１３ｂには、第２のフィルタ１２Ａが接続されている。第２のスイッチ端子１３ｄには、第２のフィルタ１２Ｂが接続されている。ここでは、第１のフィルタ１１と第２のフィルタ１２Ａが接続されている場合、第１の帯域通過型フィルタ４は、Ｂａｎｄ３の受信フィルタとして機能する。第１のフィルタ１１と第２のフィルタ１２Ｂが接続されている場合、第１の帯域通過型フィルタ４は、Ｂａｎｄ２５の受信フィルタとして機能する。第３のスイッチ端子１３ｃとグラウンド電位との間にはインピーダンス素子１４が接続されている。
【００５２】
他方、第３の帯域通過型フィルタ６もまた、第１のスイッチ端子２３ａと、複数の第２のスイッチ端子２３ｂ，２３ｄ及び第３のスイッチ端子２３ｃを有するスイッチ２３を備える。そして、第２のスイッチ端子２３ｂ，２３ｄに、それぞれ、第２のフィルタ２２Ａ，２２Ｂが接続されている。第３のスイッチ端子２３ｃとグラウンド電位との間にインピーダンス素子２４が接続されている。
【００５３】
第１のフィルタ２１と第２のフィルタ２２Ａが接続されている場合、第３の帯域通過型フィルタ６は、Ｂａｎｄ４０の受信フィルタとして機能する。第１のフィルタ２１と第２のフィルタ２２Ｂとが接続されている場合、第３の帯域通過型フィルタ６は、Ｂａｎｄ３０の受信フィルタとして機能する。
【００５４】
本実施形態では、第１の帯域通過型フィルタ４において、スイッチ１３Ａを第２の状態とする。それによって、第１のスイッチ端子１３ａと第３のスイッチ端子１３ｃとを接続することにより、Ｂａｎｄ３やＢａｎｄ２５を用いない場合の他の帯域通過型フィルタ５〜７の挿入損失を効果的に小さくすることができる。同様に、Ｂａｎｄ４０及びＢａｎｄ３０を用いない場合には、スイッチ２３を第２の状態とし、第１のスイッチ端子２３ａと第３のスイッチ端子２３ｃとを接続すればよい。それによっても第１，第２，第４の帯域通過型フィルタ４，５，７における通過帯域内における挿入損失を効果的に小さくすることができる。
【００５５】
図１０は第３の実施形態に係る複合フィルタ装置の回路図である。複合フィルタ装置３１では、複合フィルタ装置２０の回路構成に加えて、さらに、スイッチ１３Ｂ、インピーダンス素子１４Ａ、スイッチ２３Ａ及びインピーダンス素子２４Ａが接続されている。また、スイッチ１３Ｂの第１のスイッチ端子１３ａに、増幅器１６ａが接続されている。同様に、スイッチ２３Ａの第１のスイッチ端子２３ａに、増幅器１６ｂが接続されている。その他の構成は、複合フィルタ装置３１は、複合フィルタ装置２０と同様である。
【００５６】
複合フィルタ装置３１では、Ｂａｎｄ３及びＢａｎｄ２５を用いない場合、スイッチ１３Ａを第２の状態とし、第１のスイッチ端子１３ａと第３のスイッチ端子１３ｃとを接続すればよい。さらに、スイッチ１３Ｂにおいて、出力側に位置する第１のスイッチ端子１３ａと、第３のスイッチ端子１３ｃとを接続することが望ましい。すなわち、インピーダンス素子１４Ａを、出力側において、グラウンド電位との間に接続することが望ましい。同様に、第３の帯域通過型フィルタ６においても、スイッチ２３Ａにおいて、Ｂａｎｄ３０を用いず、Ｂａｎｄ４０を用いる場合には、第１のスイッチ端子２３ａと第２のスイッチ端子２３ｂとを接続すればよい。この場合においても、Ｂａｎｄ３０及びＢａｎｄ４０の双方を用いない場合には、第１のスイッチ端子２３ａと、第３のスイッチ端子２３ｃとを接続することが望ましい。
【００５７】
図１１は、第４の実施形態に係る複合フィルタ装置の回路図である。複合フィルタ装置４１では、第２〜第４の帯域通過型フィルタ５〜７は、複合フィルタ装置３１と同様である。異なるところは、第１の帯域通過型フィルタ４にある。第１の帯域通過型フィルタ４では、第１のフィルタ１１は、スイッチ４３の第１のスイッチ端子４３ａに接続されている。他方、スイッチ４３の第２のスイッチ端子４３ｂに、Ｂａｎｄ３の受信フィルタである第２のフィルタ１２Ａが接続されている。また、スイッチ端子４３ｅに、Ｂａｎｄ２５の受信フィルタである第２のフィルタ１２Ｂが接続されている。スイッチ端子４３ｅは、本発明における第２のスイッチ端子及び第３のスイッチ端子を兼ねている。
【００５８】
スイッチ端子４３ｅから第２のスイッチ端子２３ｄまでのインピーダンス素子が５０Ω以上とされている。
【００５９】
図１１に示す第２の状態では、第１のスイッチ端子４３ａと第２のスイッチ端子４３ｂは接続されていない。従って、Ｂａｎｄ３は用いていない。また、スイッチ２３において、第１のスイッチ端子２３ａと第２のスイッチ端子２３ｄは接続されていない。従って、第２のフィルタ１２Ｂは第１のフィルタ１１に接続されているものの、Ｂａｎｄ２５は用いていない。しかしながら、スイッチ端子４３ｅと、第２のスイッチ端子２３ｄとの間のインピーダンス素子が、５０Ω以上とされている。よって、第１のフィルタ１１の出力側には、第１〜第３の実施形態の場合と同様に、５０Ω以上のインピーダンス素子が接続されていることになる。よって、複合フィルタ装置４１においても、第２〜第４の帯域通過型フィルタ５〜７の通過帯域における挿入損失を効果的に小さくすることができる。
【００６０】
また、本実施形態のように、第１のフィルタの出力側に接続されるインピーダンス素子は、グラウンド電位との間に接続されておらずともよい。
【００６１】
図１２は、第５の実施形態に係る複合フィルタ装置の回路図である。複合フィルタ装置５１では、第２のフィルタ１２Ａ，１２Ｂの出力側にスイッチが設けられていない。代わりに、第１，第２の増幅器１６ａ１，１６ａ２が、第２のフィルタ１２Ａ，１２Ｂにそれぞれ接続されている。その他の構成は、複合フィルタ装置５１は複合フィルタ装置４１と同様である。図１２に示す接続状態においても、Ｂａｎｄ３、Ｂａｎｄ２５及びＢａｎｄ３０は用いられていない。
【００６２】
もっとも、第１のフィルタ１１に、Ｂａｎｄ２５用の第２のフィルタ１２Ｂが接続されている。そのため増幅器１６ａ２をオフ状態とすれば、第１のフィルタ１１に、第２のフィルタ１２Ｂが接続されているにしても、第１のフィルタ１１の出力側に、複合フィルタ装置４１の場合と同様に、５０Ω以上のインピーダンス素子を接続した状態となる。よって、複合フィルタ装置５１においても、第２〜第４の帯域通過型フィルタ５〜７における挿入損失を小さくすることができる。
【００６３】
図１３は、第６の実施形態に係る複合フィルタ装置の回路図である。複合フィルタ装置６１では、アンテナ端子３に第１〜第４の帯域通過型フィルタ４〜７が接続されている。ここでは、第１のフィルタ１１Ｂ〜１１Ｅは、いずれもノッチフィルタからなる。そして、第１の帯域通過型フィルタ４は、Ｂａｎｄ１１，Ｂａｎｄ２１，Ｂａｎｄ３及びＢａｎｄ２５の受信フィルタを構成している。なお、図１３においてＢ１１等の記載は、Ｂａｎｄ１１であることを示す。
【００６４】
第１の帯域通過型フィルタ４では、スイッチ１３は、第１のスイッチ端子１３ａと、複数の第２のスイッチ端子１３ｂ，１３ｄ，１３ｅと、第３のスイッチ端子１３ｃとを有する。そして、第２のスイッチ端子１３ｂ，１３ｄ，１３ｅには、それぞれ、第２のフィルタ１２Ａ，１２Ｂ，１２Ｃが接続されている。第２のフィルタ１２Ａは、Ｂａｎｄ１１及びＢａｎｄ２１の双方の受信フィルタとして用いられ得る。なお、Ｂａｎｄ１１の受信フィルタの通過帯域は１４７５．９ＭＨｚ〜１４９５．９ＭＨｚであり、Ｂａｎｄ２１の受信フィルタの通過帯域は１４９５．９ＭＨｚ〜１５１０．９ＭＨｚである。このように、１つの帯域通過型フィルタにおいて、スイッチに接続される第２のフィルタは３以上であってもよい。また、第２のフィルタは、複数のＢａｎｄに用いられ得るものであってもよい。
【００６５】
なお、第４の帯域通過型フィルタ７では、第２のスイッチ端子１３ｂ，１３ｄ，１３ｅにそれぞれ第２のフィルタ１２Ｃ，１２Ｄ，１２Ｅが接続されている。
【００６６】
上記のように、第１のフィルタ１１Ｂ〜１１Ｅは、帯域通過型フィルタでなくともよい。すなわち、第１のフィルタと第２のフィルタとにより、通過帯域が形成されておればよい。
【００６７】
なお、第２〜第４の帯域通過型フィルタ５〜７における第２のフィルタのＢ１などの記号は、同様にＢａｎｄ１の受信フィルタなどであることを示す。
【００６８】
図１４は、本発明の第７の実施形態に係る複合フィルタ装置の回路図である。複合フィルタ装置７１は、アンテナ２に接続されるアンテナ端子３を有する。アンテナ端子３に第１〜第４の帯域通過型フィルタ４〜７の一端が共通接続されている。第１の帯域通過型フィルタ４は、第１のフィルタ１１と、第１のフィルタ１１の後段に接続された第２のフィルタ１２とを有する。第１〜第４の帯域通過型フィルタ４〜７は、第１の実施形態の複合フィルタ装置１の第１〜第４の帯域通過型フィルタ４〜７と同様に、Ｂａｎｄ３の受信フィルタ、Ｂａｎｄ１の受信フィルタ、Ｂａｎｄ４０の受信フィルタ及びＢａｎｄ７の受信フィルタをそれぞれ構成している。
【００６９】
第２〜第４の帯域通過型フィルタ５〜７は、第１の実施形態の場合と同様である。本実施形態の特徴は、第１の帯域通過型フィルタ４において、第１のフィルタ１１及び第２のフィルタ１２の回路上の同一点からみたインピーダンス特性において、第４の帯域通過型フィルタ７の通過帯域内において、複素インピーダンスにおけるリアクタンス成分の極性が同一符号となっていることにある。複素インピーダンスにおけるリアクタンス成分の極性は、ネットワークアナライザを用いて測定したインピーダンスをプロットしたスミスチャートで確認できる。
【００７０】
ここで、回路上の同一点からみたインピーダンス特性とは、例えば図１４における点Ａから第１のフィルタ１１をみた場合のインピーダンス特性、点Ａから第２のフィルタ１２をみた場合のインピーダンス特性を示す。この点Ａは、第１のフィルタ１１と第２のフィルタ１２との間であればいずれであってもよい。
【００７１】
本実施形態では、第１のフィルタ１１と第２のフィルタ１２の２．６２０ＧＨｚにおける複素インピーダンスの極性がいずれも同一符号とされている。それによって、Ｂａｎｄ７の受信フィルタである第４の帯域通過型フィルタ７の通過帯域内における挿入損失が十分に小さくされている。これを、図１５〜図１８及び比較例についての図１９，図２２を参照して説明することとする。
【００７２】
図１７は、図１６の矢印Ａ１方向に点Ａから第１のフィルタをみた場合のインピーダンス特性を示すインピーダンススミスチャートである。図１８は、図１６の矢印Ａ２で示すように、点Ａから第２のフィルタ１２をみた場合の第２のフィルタ１２のインピーダンス特性を示すインピーダンススミスチャートである。いずれの場合においても、図１７及び図１８における点Ｍ１で示す２．６２０ＧＨｚでは、複素インピーダンスの極性は−であり、同一符号とされている。
【００７３】
この場合のＢａｎｄ７の受信フィルタである第４の帯域通過型フィルタ７のフィルタ特性を図１５に示す。図１５に示すように、通過帯域内である２．６２０ＧＨｚにおける挿入損失（ｄＢ）は、−３．５７９ｄＢであり、２．６９０ＧＨｚでは、−３．２８４ｄＢである。
【００７４】
他方、図１９は、比較例の複合フィルタ装置２０１を示す回路図である。比較例の複合フィルタ装置２０１では、第１の帯域通過型フィルタ２０４が、第１のフィルタ２１１と、第２のフィルタ２１２とを有する。点Ａからみた第１のフィルタ２１１のインピーダンス特性を図２０にインピーダンススミスチャートで示す。他方、第２のフィルタ２１２の点Ａからみたインピーダンス特性を、図２１にインピーダンススミスチャートで示す。図２０及び図２１から明らかなように、第１のフィルタ２１１では、点Ｍ１で示す２．６２０ＧＨｚにおける複素インピーダンスのリアクタンス成分の極性が＋（誘導性）であるのに対し、第２のフィルタ２１２では、点Ｍ１で示す２．６２０ＧＨｚにおける複素インピーダンスのリアクタンス成分の極性は−（容量性）である。すなわち、複素共役の関係となっている。なお、２つの回路の複素インピーダンスが複素共役の関係にあるとは、互いの複素インピーダンスの複素成分の正負が反転している関係を含み、複素成分の絶対値が等しい場合に限定されない。つまり、本実施形態における複素共役の関係とは、一方の回路の複素インピーダンスが容量性（スミスチャートの下半円）に位置し、他方の回路の複素インピーダンスが誘導性（スミスチャートの上半円）に位置するような関係も含まれる。
【００７５】
比較例の複合フィルタ装置２０１は、上記複素インピーダンスの極性を除けば、複合フィルタ装置７１と同様に構成されている。
【００７６】
図２２は、比較例の複合フィルタ装置における第４の帯域通過型フィルタ７のフィルタ特性を示す。図２２において、通過帯域内である２．６２０ＧＨｚにおける挿入損失（ｄＢ）値は、−３．９４２ｄＢであり、２．６９０ＧＨｚにおける値は−３．２８７ｄＢである。
【００７７】
図２２の結果と図１５の結果とを対比すれば明らかなように、比較例に比べ第７の実施形態によれば、第４の帯域通過型フィルタの通過帯域内における挿入損失を効果的に小さくし得ることがわかる。
【００７８】
第７の実施形態の複合フィルタ装置７１は、本願の第２の発明の実施形態に相当する。そして、第１のフィルタと第２のフィルタを回路上の同一点からみたインピーダンス特性において、複素インピーダンスの極性が同一符号とされていることにより、他の帯域通過型フィルタ７の挿入損失を小さくすることが可能とされている。これは、複素インピーダンスの極性が同一であるため、第２のフィルタ１２のインピーダンス素子を高くすることができることによる。比較例の複合フィルタ装置２０１では、第１のフィルタ２１１の複素インピーダンスと第２のフィルタ２１２の複素インピーダンスの極性が逆符号とされているため、第４の帯域通過型フィルタ７の挿入損失が大きくなっている。これは、比較例では、第１のフィルタと第２のフィルタとの間でインピーダンス素子の低い部分が形成されることによる。そのため、第４の帯域通過型フィルタ７に流れるべき周波数の信号が、自己のフィルタすなわち第１の帯域通過型フィルタ４に入ってきている。
【００７９】
上記のとおり、第７の実施形態に係る複合フィルタ装置７１においても、共通接続されている他の帯域通過型フィルタ５〜７の挿入損失を効果的に小さくすることができる。また、第７の実施形態の複合フィルタ装置７１においても、第１の実施形態の複合フィルタ装置１の場合と同様に、第１のフィルタ及び第２のフィルタの双方が弾性波フィルタであることが好ましい。それによって、他の帯域通過型フィルタ５〜７の通過帯域内の挿入損失をより一層小さくすることができる。また、複合フィルタ装置７１においても、弾性波フィルタが弾性波共振子を有し、弾性波共振子の共振周波数以上、反共振周波数以下の周波数域が、当該第１の帯域通過型フィルタ４以外の他の帯域通過型フィルタ５〜７の通過帯域内に位置している場合に、本発明が効果的である。
【００８０】
また、複合フィルタ装置７１においても、第１のフィルタ１１の通過帯域外（他の帯域通過型フィルタ５〜７の通過帯域内）における減衰量が、第２のフィルタ１２における通過帯域外（他の帯域通過型フィルタ５〜７の通過帯域内）における減衰量よりも大きいことが好ましい。同様に、第１のフィルタ１１及び第２のフィルタ１２がラダー型フィルタからなる場合に、第１のフィルタ１１におけるラダーの段数が、第２のフィルタ１２におけるラダーの段数よりも小さいことが好ましい。
【００８１】
また、複合フィルタ装置７１においても、第１のフィルタ１１と第２のフィルタ１２との間に、インピーダンスマッチング素子が接続されていることが望ましい。
【００８２】
また、複合フィルタ装置７１においても、第２のフィルタ１２が複数設けられていてもよい。その場合、第１のフィルタ１１と複数の第２のフィルタ１２とを接続するスイッチが設けられることが望ましい。
【００８３】
また、上述した実施形態では、弾性波フィルタとしてラダー型フィルタを示したが、図２３に示す縦結合共振子型フィルタ８１を第２のフィルタとして用いてもよい。縦結合共振子型フィルタ８１を用いた場合、大きな減衰量を容易に確保することができる。従って、第２のフィルタが縦結合共振子型フィルタを有する場合、本発明が効果的である。
【符号の説明】
【００８４】
１…複合フィルタ装置
２…アンテナ
３…アンテナ端子
４〜７…第１〜第４の帯域通過型フィルタ
１１，１１Ｂ〜１１Ｅ…第１のフィルタ
１２，１２Ａ〜１２Ｅ…第２のフィルタ
１３，１３Ａ，１３Ｂ…スイッチ
１３ａ…第１のスイッチ端子
１３ｂ，１３ｄ，１３ｅ…第２のスイッチ端子
１３ｃ…第３のスイッチ端子
１４，１４Ａ…インピーダンス素子
１６…インピーダンスマッチング素子
１６ａ，１６ａ１，１６ａ２，１６ｂ…増幅器
２０…複合フィルタ装置
２１…第１のフィルタ
２２Ａ，２２Ｂ…第２のフィルタ
２３，２３Ａ…スイッチ
２３ａ…第１のスイッチ端子
２３ｂ，２３ｄ…第２のスイッチ端子
２３ｃ…第３のスイッチ端子
２４，２４Ａ…インピーダンス素子
３１，４１，５１，６１，７１…複合フィルタ装置
４３…スイッチ
４３ａ，４３ｂ…第１，第２のスイッチ端子
４３ｅ…スイッチ端子
８１…縦結合共振子型フィルタ
Ｐ１〜Ｐ３…並列腕共振子
Ｓ１〜Ｓ５…直列腕共振子
【図１】
2020182244.tif 000003
【図２】
2020182244.tif 000004
【図３】
2020182244.tif 000005
【図４】
2020182244.tif 000006
【図５】
2020182244.tif 000007
【図６】
2020182244.tif 000008
【図７】
2020182244.tif 000009
【図８】
2020182244.tif 000010
【図９】
2020182244.tif 000011
【図１０】
2020182244.tif 000012
【図１１】
2020182244.tif 000013
【図１２】
2020182244.tif 000014
【図１３】
2020182244.tif 000015
【図１４】
2020182244.tif 000016
【図１５】
2020182244.tif 000017
【図１６】
2020182244.tif 000018
【図１７】
2020182244.tif 000019
【図１８】
2020182244.tif 000020
【図１９】
2020182244.tif 000021
【図２０】
2020182244.tif 000022
【図２１】
2020182244.tif 000023
【図２２】
2020182244.tif 000024
【図２３】
2020182244.tif 000025
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
一端と他端とを有する複数の帯域通過型フィルタを備え、
前記複数の帯域通過型フィルタの前記一端同士が共通接続されており、
前記複数の帯域通過型フィルタのうち、少なくとも１つの帯域通過型フィルタが、前記一端に接続されている第１のフィルタと、前記第１のフィルタと前記他端との間に接続された第２のフィルタとを有し、
前記第１のフィルタと、前記第２のフィルタの複素インピーダンスが同極性である、複合フィルタ装置。
【請求項２】
前記複数の帯域通過型フィルタの全てが、前記第１のフィルタ及び前記第２のフィルタを有し、前記第１のフィルタと前記第２のフィルタが、接続された状態において、複素インピーダンスが同極性である、請求項１に記載の複合フィルタ装置。
【請求項３】
前記第１のフィルタ及び前記第２のフィルタの少なくとも一方が、弾性波フィルタである、請求項１または２に記載の複合フィルタ装置。
【請求項４】
前記第１のフィルタ及び前記第２のフィルタが弾性波フィルタである、請求項３に記載の複合フィルタ装置。
【請求項５】
前記弾性波フィルタが、弾性波共振子を有し、当該弾性波共振子の共振周波数以上、反共振周波数以下の周波数域が、当該帯域通過型フィルタ以外の他の帯域通過型フィルタの通過帯域内に位置している、請求項３に記載の複合フィルタ装置。
【請求項６】
前記第１のフィルタの通過帯域外における減衰量が、前記第２のフィルタの通過帯域外における減衰量よりも大きい、請求項１〜５のいずれか１項に記載の複合フィルタ装置。
【請求項７】
前記第１のフィルタ及び前記第２のフィルタが、ラダー型フィルタからなり、前記第１のフィルタにおけるラダーの段数が、前記第２のフィルタにおけるラダーの段数よりも小さい、請求項１〜５のいずれか１項に記載の複合フィルタ装置。
【請求項８】
前記第１のフィルタと、前記第２のフィルタとの間に、インピーダンスマッチング素子が接続されている、請求項１〜７のいずれか１項に記載の複合フィルタ装置。
【請求項９】
前記第２のフィルタが、縦結合共振子型フィルタである、請求項３に記載の複合フィルタ装置。
【請求項１０】
前記第２のフィルタが複数設けられており、前記スイッチが、複数の前記第２のフィルタにそれぞれ接続される複数の第２のスイッチ端子を有する、請求項１〜８のいずれか１項に記載の複合フィルタ装置。